(57)【特許請求の範囲】
【請求項１】
下端より固着したフランジと上端に固着したフランジを当接させてボルト・ナットにより螺締した主柱材と、ボルト・ナットにより鉄塔に螺締する水平材、斜材等の腹材により構成される既設中空鋼管鉄塔主柱材の部分補修工法であって、主柱材の１本の取替えを行わずに、腐食等で補修の必要が生じた損傷箇所を含む最小限の部分補修用に、反力用の支持ピースを主柱材の損傷箇所の上下に溶接により固着し、損傷箇所を挟み込むように、一対のバンド金具、中間継材、ジャッキからなる治具を上方のバンド金具上面、下方のバンド金具下面をそれぞれ上部支持ピース下面、下部支持ピース上面に当接させて設置し、鉄塔の腹材を取り外さず主柱材のボルトを緩めてジャッキアップし、損傷付近の主柱材を部分的に切除し、切断面にフランジおよびリブを現場で溶接により固着し、上下端にはフランジおよびリブを溶接により固着した切除部分に相当する新部材を切除部分に挿入し、ボルトをフランジに挿入後ジャッキダウンするようにした既設中空鋼管鉄塔主柱材の部分補修工法。
【発明の詳細な説明】
【技術分野】
【０００１】
本発明は、既設中空鋼管鉄塔主柱材の部分補修工法に関するものである。
【背景技術】
【０００２】
従来は、既設鉄塔主柱材の腐食等損傷部分に溶接等による補修ができない場合については、補修部分が主柱材のごく一部分であっても、主柱材１本を取り替えていた。
【特許文献１】特許第３１６７２０３号公報
【発明の開示】
【発明が解決しようとする課題】
【０００３】
従来は、既設鉄塔主柱材の腐食等損傷部分に溶接等による補修ができない場合、補修部分が主柱材のごく一部分であっても、主柱材１本を取り替えていたので、大掛かりな取替え装置、補強部材、吊り工具等の動力装置、重量物の運搬手段、機材置き場等により広い作業用スペースの確保が必要となり、簡単に作業を行うことができなかった。
【課題を解決するための手段】
【０００４】
そこで、本発明は、上記の事情に鑑み、既設鉄塔の主柱材に腐食等で補修の必要が生じた場合の補修作業を、無停電、軽量工具、省スペースで行え、大掛かりな取替え装置、補強部材、吊り工具等の動力装置を必要とすることなく、効率の良い作業ができるようにすべく、下端より固着したフランジと上端に固着したフランジを当接させてボルト・ナットにより螺締した主柱材と、ボルト・ナットにより鉄塔に螺締する水平材、斜材等の腹材により構成される既設中空鋼管鉄塔主柱材の部分補修工法であって、主柱材の１本の取替えを行わずに、腐食等で補修の必要が生じた損傷箇所を含む最小限の部分補修用に、反力用の支持ピースを主柱材の損傷箇所の上下に溶接により固着し、損傷箇所を挟み込むように、一対のバンド金具、中間継材、ジャッキからなる治具を上方のバンド金具上面、下方のバンド金具下面をそれぞれ上部支持ピース下面、下部支持ピース上面に当接させて設置し、鉄塔の腹材を取り外さず主柱材のボルトを緩めてジャッキアップし、損傷付近の主柱材を部分的に切除し、切断面にフランジおよびリブを現場で溶接により固着し、上下端にはフランジおよびリブを溶接により固着した切除部分に相当する新部材を切除部分に挿入し、ボルトをフランジに挿入後ジャッキダウンするようにした既設中空鋼管鉄塔主柱材の部分補修工法とした。
【発明の効果】
【０００５】
本発明は、下端より固着したフランジと上端に固着したフランジを当接させてボルト・ナットにより螺締した主柱材と、ボルト・ナットにより鉄塔に螺締する水平材、斜材等の腹材により構成される既設中空鋼管鉄塔の主柱材部分補修工法であって、主柱材の１本の取替えを行わずに、腐食等で補修の必要が生じた損傷箇所を含む最小限の部分補修用に、反力用の支持ピースを主柱材の損傷箇所の上下に溶接により固着し、損傷箇所を挟み込むように、一対のバンド金具、中間継材、ジャッキからなる治具を上方のバンド金具上面、下方のバンド金具下面をそれぞれ上部支持ピース下面、下部支持ピース上面に当接させて設置し、鉄塔の腹材を取り外さず主柱材のボルトを緩めてジャッキアップし、損傷付近の主柱材を部分的に切除し、切断面にフランジおよびリブを現場で溶接により固着し、上下端にはフランジおよびリブを溶接により固着した切除部分に相当する新部材を切除部分に挿入し、ボルトをフランジに挿入後ジャッキダウンするようにした既設中空鋼管鉄塔主柱材の部分補修工法であるので、既設鉄塔の主柱材の補修作業を、無停電、軽量工具、省スペースで行え、大掛かりな取替え装置、補強部材、吊り工具等の動力装置を必要とすることなく、安全且つ短時間で作業ができるため、大幅なコストダウンに繋がるものである。
【発明を実施するための最良の形態】
【０００６】
本発明を添付する図面に示す具体的な実施例に基づいて、以下詳細に説明する。
【０００７】
図１は既設鉄塔の主柱材と腹材との関係を示す斜視図、図２は本発明の工法の手順を説明する図である。
【０００８】
既設鉄塔は、図１に示すように、主柱材１と、水平材２、斜材３よりなる腹材により構成される。
【０００９】
主柱材１は、下端に固着したフランジと上端に固着したフランジを当接させてボルト、ナットにより螺締する。
【００１０】
腹材は、主柱材１に取り付けられたプレートにボルト・ナットにより螺締する。
【００１１】
本発明の補修工法の手順を図２により説明する。
【００１２】
(1) 腐食等で補修の必要が生じた損傷箇所１１を確認する。
【００１３】
(2) 主柱材１の損傷箇所１１の上部に反力用の上部支持ピース１２、下部に反力用の下部支持ピース１３を溶接により固着する。
【００１４】
(3) 損傷箇所１１を挟み込むように、一対のバンド金具１４、１５、中間継材１６、ジャッキ１７からなる治具１８を、上方のバンド金具１４上面、下方のバンド金具１５下面を上部支持ピース１２下面、下部支持ピース１３上面に当接させて設置する。
【００１５】
(4) 鉄塔の腹材を取り外さず、対象部位から上部数節(2面)の腹材ボルトと主柱材１のボルトを緩めてジャッキアップし、損傷付近の主柱材１を切断３１する。
【００１６】
(5) 損傷箇所１１を取り外す。
【００１７】
(6) 切断面にフランジ１９およびリブ２０を溶接により固着する。
【００１８】
(7) 上下端にフランジ２１・２２およびリブ２３・２４を溶接により固着した新部材２５を切断部に挿入し、ボルトをフランジ２１・１９、２６・２２挿入後ジャッキダウンする。
【００１９】
(8) フランジ２１・１９、２６・２２に挿入したボルトにナットを螺締することにより、新部材２５が装着される。
【００２０】
本発明は、無停電、軽量工具、省スペースで行え、大掛かりな取替え装置、吊り工具等の動力装置を必要とすることなく、安全且つ短時間で作業ができる。
【実施例】
【００２１】
77ｋＶ送電鉄塔において中空鋼管主柱材の内面点検を実施、主柱材下部2節目の鋼管内面に腐食箇所を発見、リブが邪魔になり当て板溶接による補修が不可能なため本工法により部材補修を実施。
施工手順については下記のとおりである。
なお実施した中空鋼管鉄塔主柱材寸法については外径139.8mm、厚さ：3.5mmである。
0005072661.tif 000002
【００２２】
今回の施工での施工時間は、罫書き2時間、支持ピース溶接2時間、ジャッキアップ
治具取り付け1時間、ジャッキアップと部材切断1時間、フランジ溶接4時間、新材取り
付けと治具撤去2時間であり、実作業時間は全体で約12時間であった。この施工を
従来工法である主柱材1本を取り替える方法で行った場合の想定時間に対し、ほぼ
半分の時間で施工できたことになる。
【産業上の利用可能性】
【００２３】
本発明は、既設中空鋼管鉄塔主柱材の部分補修工法に関するものであるが、ＭＣ（コンクリート充てん鋼管）鉄塔や発電所等で使用される冷却用配管等の部分補修工法にも利用できる。
【図面の簡単な説明】
【００２４】
【図１】既設鉄塔の主柱材と腹材との関係を示す図である。
【図２】本発明の工法の手順を説明する図である。
【符号の説明】
【００２５】
１ …主柱材
２ …水平材
３ …斜材
１１…損傷箇所
１４、１５…バンド金具
１６…中間継材
１７…ジャッキ
１８…治具
１２…上部支持ピース
１３…下部支持ピース
３１…切断
１９、２６…フランジ
２０…リブ
２５…新部材
２１、２２…新部材フランジ
【図１】
0005072661.tif 000003
【図２】
0005072661.tif 000004